(57)【要約】【課題】コンパクトな外形でも長尺帳票を処理できる光学的画像読取装置を提供する。【解決手段】光学的画像読取装置は、筐体内に取り込まれた帳票を周回させて搬送可能な循環型の搬送路５と、取込口近傍の搬送路５の第１位置に設けられ、第１位置を通過する帳票から情報を読み取る密着センサー１５と、第１位置から搬送路５上を所定距離進んだ第２位置近傍に設けられ、情報を正常に読み取った帳票に印字する印字部と、第２位置よりも搬送方向後方に設けられ、帳票を第１位置へ戻す周回方向と排出する方向に振り分けるフラッパ１８，２４と、密着センサー１５により情報が読み取られた帳票が、第１位置から第２位置までの搬送距離Ｌを超える長さの帳票の場合、周回方向Ｃへ振り分けるようフラッパ１８，２４を制御するコントローラ４０とを備える。【選択図】図２
2009094929.tif 000002
【特許請求の範囲】
【請求項１】
帳票取込口と帳票排出口が設けられた筐体と、
前記帳票取込口から前記筐体内に取り込まれた帳票を周回させて搬送可能な循環型搬送路を構成する搬送手段と、
前記帳票取込口の近傍の前記循環型搬送路の第１位置に設けられ、前記第１位置を通過する前記帳票から情報を読み取る帳票読取部と、
前記帳票読取部により情報が読み取られた帳票、またはその情報から、前記帳票の搬送方向の長さを検出する帳票長さ検出部と、
前記第１位置から前記循環型搬送路上を所定距離進んだ第２位置近傍に設けられ、前記帳票読取部で情報を正常に読み取った前記帳票に印字する印字部と、
前記第２位置よりも搬送方向後方でかつ前記帳票排出口手前に設けられ、前記帳票を前記第１位置へ戻す周回方向とそれ以外の方向に振り分ける振分部と、
前記帳票長さ検出部により前記第１位置から前記第２位置までの搬送距離を超える長さの帳票が検出された場合、前記帳票を前記周回方向へ振り分けるよう前記振分部を制御する制御部と
を具備することを特徴とする光学的画像読取装置。
【請求項２】
請求項１記載の光学的画像読取装置において、
情報が正常に読み取れずにリジェクトされた帳票が集積されるリジェクトスタッカと、
リジェクトされなかった帳票が集積されるアクセプトスタッカとを備え、
前記制御部は、
前記周回方向以外の方向として、前記帳票読取部の情報読取結果の正否に応じて、前記帳票を、前記リジェクトスタッカと前記アクセプトスタッカのいずれかに振り分けるように前記振分部を制御することを特徴とする光学的画像読取装置。
【請求項３】
請求項１記載の光学的画像読取装置において、
前記制御部は、
前記帳票を前記周回方向へ振り分けた場合、前記帳票取込部に対して次の帳票の取り込みを待機させることを特徴とする光学的画像読取装置。
【請求項４】
筐体の帳票取込口から前記筐体内に取り込まれた帳票を、搬送手段が循環型搬送路を通じて筐体の帳票排出口へ搬送するステップと、
前記帳票取込口の近傍の前記循環型搬送路の第１位置に設けられた帳票読取部が、前記第１位置を通過する前記帳票から情報を読み取るステップと、
前記帳票読取部により情報が読み取られた帳票、またはその情報から、前記帳票の搬送方向の長さを検出するステップと、
前記第１位置から前記循環型搬送路上を所定距離進んだ第２位置近傍までの搬送距離を超える長さの帳票が検出された場合、前記第２位置よりも搬送方向後方でかつ前記帳票排出口の手前に設けられ振分部が、前記循環型搬送路を周回させる方向へ前記帳票を振り分けるステップと
を有することを特徴とする画像読取方法。
【発明の詳細な説明】
【技術分野】
【０００１】
本発明は、例えばホッパから搬送された帳票等の紙葉類の画像を読み取った後、帳票への印字や複数のスタッカへの振分けを行う機能を有する光学的画像読取装置及び画像読取方法に関する。
【背景技術】
【０００２】
帳票等の紙葉類を搬送する搬送路上に光学読み取り部を配置し、この光学読み取り部を介して紙葉類に記された文字や図形等をイメージとして読み取る紙葉類移動型の光学的画像読取装置、つまりシートフェッド型光学的画像読取装置が知られている。
【０００３】
従来から、ホッパに積載した帳票を順に読み取って、希望する順序で画像データを出力する技術が既にある。
【特許文献１】特開２００２−１１８６９５公報
【発明の開示】
【発明が解決しようとする課題】
【０００４】
従来は、ホッパから搬送された帳票類が画像読取された後、その結果によって振分部で複数のスタッカへ振り分けているため、読取部から振分部までの搬送路の長さは、読み取る帳票のサイズによって設計寸法が決まってしまう。
例えば、Ａ３版の帳票を縦方向に処理する場合、読取部から振分部までの搬送路長さは、最低でも４２０ｍｍ以上必要となる。
【０００５】
このため、Ａ３版の帳票を処理する装置であれば、読取部から振分部までの搬送路の長さが４２０ｍｍ以上、つまり処理対象の帳票の搬送方向のサイズ以上の長さが必要であり、例えば帳票の入口と出口が直線状に配置された装置では、４２０ｍｍ以上の奥行きが必要であり、給紙口（ホッパ）と排紙口（スタッカ）が前面部に設けられた装置であったとしても装置内で帳票をほぼ半周程度しかさせることができないため、それ相応の外形が必要である。
つまり、処理対象の紙葉類のサイズに見合っただけの装置外形が必要であり、装置が大型化する要因となっていた。
【０００６】
本発明はこのような課題を解決するためになされたもので、コンパクトな外形でありながら長尺帳票を処理することができる光学的画像読取装置及び画像読取方法を提供することを目的とする。
【課題を解決するための手段】
【０００７】
上記した目的を達成するために、本発明の光学的画像読取装置は、帳票取込口と帳票排出口が設けられた筐体と、前記帳票取込口から前記筐体内に取り込まれた帳票を周回させて搬送可能な循環型搬送路を構成する搬送手段と、前記帳票取込口の近傍の前記循環型搬送路の第１位置に設けられ、前記第１位置を通過する前記帳票から情報を読み取る帳票読取部と、前記帳票読取部により情報が読み取られた帳票、またはその情報から、前記帳票の搬送方向の長さを検出する帳票長さ検出部と、前記第１位置から前記循環型搬送路上を所定距離進んだ第２位置近傍に設けられ、前記帳票読取部で情報を正常に読み取った前記帳票に印字する印字部と、前記第２位置よりも搬送方向後方でかつ前記帳票排出口手前に設けられ、前記帳票を前記第１位置へ戻す周回方向とそれ以外の方向に振り分ける振分部と、前記帳票長さ検出部により前記第１位置から前記第２位置までの搬送距離を超える長さの帳票が検出された場合、前記帳票を前記周回方向へ振り分けるよう前記振分部を制御する制御部とを具備することを特徴とする。
【０００８】
本発明の画像読取方法は、筐体の帳票取込口から前記筐体内に取り込まれた帳票を、搬送手段が循環型搬送路を通じて筐体の帳票排出口へ搬送するステップと、前記帳票取込口の近傍の前記循環型搬送路の第１位置に設けられた帳票読取部が、前記第１位置を通過する前記帳票から情報を読み取るステップと、前記帳票読取部により情報が読み取られた帳票、またはその情報から、前記帳票の搬送方向の長さを検出するステップと、前記第１位置から前記循環型搬送路上を所定距離進んだ第２位置近傍までの搬送距離を超える長さの帳票が検出された場合、前記第２位置よりも搬送方向後方でかつ前記帳票排出口の手前に設けられ振分部が、前記循環型搬送路を周回させる方向へ前記帳票を振り分けるステップとを有することを特徴とする。
【発明の効果】
【０００９】
このように本発明によれば、コンパクトな外形でありながら長尺帳票を処理することができる光学的画像読取装置及び画像読取方法を提供することができる。
【発明を実施するための最良の形態】
【００１０】
以下、本発明を実施するための最良の形態を図面に基づき説明する。図１は本発明の一つの実施の形態の光学的画像読取装置の概観図、図２はこの光学的画像読取装置の構成を概略的に示す側面図、図３はこの光学的画像読取装置の制御系を機能的に示すブロック図である。
【００１１】
図１に示すように、この光学的画像読取装置１は、帳票取込口と帳票排出口が筐体前面部に設けられたものであり、帳票取込口から帳票等の紙葉類Ｐを装置内部に取り込み循環型の搬送路を搬送しつつ帳票上に記された文字や図形等をイメージデータ（画像）として読み取り、情報を正常に読み取った帳票に対して印字処理などを施した上で帳票排出口から排出する紙葉類移動型の光学的画像読取装置、つまりシートフェッド型光学的画像読取装置である。
【００１２】
この光学的画像読取装置１の前面部には、ディスプレイ４７と操作部４８が設けられている。ディスプレイ４７には、操作手順等の各種メニューと処理状況及びエラー内容等が表示される。操作部４８には、帳票の処理開始や停止を指示したり、エラーを解除するための釦類が設けられている。
【００１３】
図１及び図２に示すように、この光学的画像読取装置１は、ホッパテーブル２と、帳票取込部としてのピックアップローラ３と、帳票取込口付近に設けられた分離部（フィードローラ４およびセパレートローラ６）と、上部搬送用ローラとしてのピンチローラ９と、下部搬送用ローラとしてのドライブローラ８と、画像読取部としての密着センサー１５と、プラテンローラ１６および印字ヘッド１７などを有する印字部と、第１振分部としてのフラッパ１８と、リジェクトスタッカ１９、アクセプトスタッカ２０と、第２振分部としてのフラッパ２４と、搬送路５上に配置された各種センサー（帳票積載検知センサー７、変位センサー１０、帳票繰出検出センサー１１、搬送センサー２１，２２，２３，２５等）と、合流部１２と、装置内の各部に電力を供給する電源部３１と、コントローラ４０とを備えている。フラッパ１８，２４を振分部と称す。
【００１４】
ホッパテーブル２は、筐体の帳票取込口に設けられている。ホッパテーブル２には、装置内部に取り込まれる帳票類Ｐが多数積み重ねた状態で搭載される。つまりホッパテーブル２には、帳票Ｐの束が積載される。ピックアップローラ３は、ホッパテーブル２に積載された多数の帳票Ｐの最上面に摺接して最上部の帳票を装置内部へ繰り出す（引き込む）。
【００１５】
帳票積載検知センサー７は、ホッパテーブル２に積載された帳票の有無を検知して、その有無の検知信号をコントローラ４０へ通知する。
変位センサー１０は、ピンチローラ９の上端部に設けられている。変位センサー１０は、ピンチローラ９の高さ（上下方向の位置）の変位を検知し、位置検知信号をコントローラ４０へ送出する。
【００１６】
分離部は、フィードローラ４とこれに対向配置された分離ローラ６で構成されている。フィードローラ４は、ピックアップローラ３から送られた帳票を搬送路５へ送り込むローラである。分離ローラ６は、フィードローラ４の回動速度に対して遅延するなどしてフィードローラ４と協働して帳票を一枚ずつに分離した上で装置内部へ取り込む。すなわち、この分離部は、フィードローラ４とピックアップローラ３により繰り出された帳票が複数枚であった場合、１枚ずつに分離して装置内へ取り込む。
【００１７】
ピンチローラ９及びドライブローラ８は、帳票が搬送される循環型の搬送路５を形成するように、上下方向から搬送路５を挟んで対向して図示のようにそれぞれの部位（位置）に設けられている。
ドライブローラ８は、モータにより駆動されて、帳票をピンチローラ９と共に両面から挟持しつつ搬送する搬送機構４４（図３参照）の一部である。搬送機構４４は、ベルト、ガイドレールなども備えており、ホッパテーブル２（帳票取込口）からピックアップローラ３により筐体内に取り込まれた帳票を、装置内を周回させて搬送することが可能な循環型の搬送路５を構成する。
【００１８】
密着センサー１５は、帳票取込口の近傍の循環型の搬送路５の第１位置に設けられている。密着センサー１５は、搬送路５上を搬送されて第１位置を通過する帳票から画像を読み取る画像読取ユニットであり、例えばＣＣＤラインセンサーなどにより構成される。
【００１９】
搬送センサー２１は、密着センサー１５が設けられている第１位置から搬送路５上を所定距離進んだ第２位置に設けられている。印字ヘッド１７は、搬送路５上、搬送センサー２１の後に設けられている。搬送センサー２５は、フラッパ２４と合流部１２との間の搬送路５上に配置されており、周回方向Ｃに搬送された帳票を検知するセンサーである。
【００２０】
印字ヘッド１７は、プラテンローラ１６に対向して設けられている。印字ヘッド１７と対向配置されたプラテンローラ１６とを合わせて印字部と称す。印字ヘッド１７は、密着センサー１５により情報が正常に読み取られた帳票に印字する。具体的には、印字ヘッド１７は、正常に読み取り済みの帳票に対して、例えば連続番号等を印字する。
【００２１】
フラッパ１８は、第２位置よりも搬送方向後方の帳票排出口手前（第３位置）に設けられている。フラッパ１８は、コントローラ４０により制御されて、帳票を２周目へ周回させる周回方向Ｃまたはアクセプトスタッカ２０とそれ以外の方向（リジェクトスタッカ１９への方向）に振り分ける。
リジェクトスタッカ１９は、読み取り処理が正常に行わなかった帳票が集積される帳票集積部である。アクセプトスタッカ２０は、読み取り処理が正常に行われた帳票が集積される帳票集積部である。
【００２２】
フラッパ２４は、長尺と判定された帳票を２周目の第１位置へ戻す周回方向Ｃと、情報が正常に読み取られた帳票をアクセプトスタッカ２０へ搬送する方向のいずれかに帳票を振り分ける。
印字ヘッド１７による印字処理を終えた帳票は、フラッパ１８，２４により振り分けられてアクセプトスタッカ２０へ送られる。
【００２３】
搬送センサー２１，２２，２３，２５は、搬送路５の所定位置を、帳票が通過したことを検知して「明」、「暗」の検知信号でコントローラ４０へ通知する。
具体的には、帳票繰出検出センサー１１、搬送センサー２１，２２，２３，２５は、発光部と受光部とを搬送路５を隔てて対向配置した赤外線センサーなどの遮光センサーであり、搬送路５上を搬送される帳票により発光部から発光された赤外線の光が受光部により受光されなくなった、つまり遮光されたときに「暗」信号をコントローラ４０へ送出し、それ以外のときは「明」信号をコントローラ４０へ送出する。
【００２４】
合流部１２は、搬送センサー２５の位置を通過した長尺帳票を２周させるため、長尺帳票を下側の搬送路５に戻すように合流させるガイド機構部分であり、具体的には、傾斜したガイド板などにより構成される。
【００２５】
図３に示すように、コントローラ４０は、主にＣＰＵ４１、メモリ４２およびインターフェース４３を有している。
インターフェース４３には、この装置内の各部からの内部配線が接続されている。各部とは、密着センサー１５、ディスプレイ４７、操作部４８、モータを含む搬送駆動系４４、各種センサー（帳票積載検知センサー７、変位センサー１０、帳票繰出検出センサー１１、搬送センサー２１，２２，２３，２５）、印字ヘッド１７等である。
【００２６】
ＣＰＵ４１は、変位センサー１０からの位置検知信号を受けてその位置検知信号に含まれる変位量と予めメモリ４２に設定された一枚の帳票の基準紙厚とを比較して帳票Ａの重送検知（判定）を行う。基準紙厚は、例えば０．０９ｍｍ±０．０２ｍｍなどといった範囲を持っている。
ＣＰＵ４１は、変位量が、一枚の帳票の基準紙厚の範囲を超えた場合は、重送と判定する。重送とは複数枚の帳票が重なって搬送されることを言う。
ＣＰＵ４１は、帳票の重送を検知した場合、ピックアップローラ３、フィードローラ４、分離ローラ６、ドライブローラ８などを駆動する搬送駆動系４４を制御して帳票の搬入及び搬送動作を停止させる。
【００２７】
ＣＰＵ４１は、密着センサー１５により情報が読み取られた帳票、またはその情報から、帳票の搬送方向の長さを検出する帳票サイズ検出部または帳票長さ検出部として機能する。
具体的にはＣＰＵ４１は、密着センサー１５により情報が読み取られた帳票の先端または後端の検出による形状検知、またはその帳票から読み取った画像情報、文字認識した結果（帳票に予め印字されている帳票サイズ情報（Ａ４等））から、帳票の搬送方向の長さを検出する。
【００２８】
ＣＰＵ４１は、フラッパ１８，２４を制御して２周目の第１位置への周回方向とそれ以外の方向（リジェクトスタッカ１９への方向）に帳票を振り分ける。
ＣＰＵ４１は、第１位置で密着センサー１５が帳票の読み取りを開始してから、第２位置の搬送センサー２１により帳票が検出されるまで、密着センサー１５による情報の読み取りが継続した場合、その帳票を長尺帳票として判定する。
【００２９】
このように第１位置から第２位置までの搬送距離Ｌ（図５参照）を超える長さの帳票が検出された場合、ＣＰＵ４１は、帳票を２周目の周回方向へ振り分けるようフラッパ１８，２４を制御する制御部として機能する。
なお、長尺帳票を検出する方法としては、搬送センサー２１で帳票の通過を検出する方法以外に、密着センサー１５が帳票の読み取りを開始した時点から帳票読み取り時間をパルスカウントし、帳票の読み取りが何カウント継続するかで判定してもよい。
【００３０】
ＣＰＵ４１は、帳票を周回方向Ｃへ振り分けた場合、長尺帳票が合流部１２から下側の搬送路５に合流して帳票終端部が密着センサー１５の位置を通過するまでの間、ピックアップローラ３に対して次の帳票の取り込みを待機させるよう駆動制御する。
【００３１】
以下、図４乃至図６を参照してこの光学的画像読取装置の動作を説明する。
この光学的画像読取装置では、操作部４８より処理開始の指示コマンドの入力があった場合、コントローラ４０は、搬送モータおよびホッパテーブル２駆動用のモータを駆動して（図４のステップＳ１０１）、ホッパテーブル２を上方向に移動し、ホッパテーブル２上に積載された帳票類Ｐのうちの最上部の帳票が、ピックアップするのに最適な高さになった位置で、ピックアップローラ３によって繰り出されて、装置内に取り込まれ、分離部に送り込まれる。
【００３２】
分離部では、繰り出されてきた帳票が複数枚であった場合、帳票が１枚ずつに分離される。具体的には、コントローラ４０では、ＣＰＵ４１が、変位センサー１０からの位置検知信号（変位量の検知信号）による高さの変動値と予め設定された帳票一枚の基準紙厚とを比較して帳票が一枚か複数枚かを判定する。
この判定の結果、ピックアップローラ３により繰り出された帳票が複数枚であった場合、ＣＰＵ４１は、分離ローラ６の回転を停止または低速にする。これにより帳票が１枚ずつに分離されて、１枚ずつ装置内へ取り込まれる。すなわち、変位センサー１０からの変位量検知信号によってコントローラ４０は、搬送される帳票の重送検知を行う。
【００３３】
分離部によって１枚ずつ装置内へ取り込まれた帳票は、１番目のドライブローラ８とピンチローラ９によって先端が挟み込まれて搬送路５へ送り込まれる。
帳票を繰り出すに従ってピックアップローラ３の高さが下がってくると、コントローラ４０は、ピックアップに最適な高さになるまでホッパテーブル２を上方に上げ、安定的に帳票の繰り出し動作を行う。
【００３４】
１枚になった帳票は、１番目のドライブローラ８とピンチローラ９によって先端をつかまれ、搬送路５へ送り込まれる。ピンチローラ９は変位センサー１０でその変位量が検知されている。その後、帳票は、合流部１２を通過して循環型の搬送路５に入り、ドライブローラ８とピンチローラ９によって挟持されながら搬送路５を順に搬送される。
【００３５】
搬送路５上では、第１位置に配置された密着センサー１５の位置を帳票が通過するときに帳票表面および裏面の画像が読み取られる（ステップＳ１０２）。
密着センサー１５で帳票の画像を読み取っているときは、画像が伸縮しないようにドライブローラ８をパルスモータで定速に駆動する。この間、次の帳票が搬送路５に入って来ないように、帳票の送り込みを１番目のドライブローラ８とピンチローラ９によって停止できるようになっている。
【００３６】
搬送路５へ送り込まれた帳票は、密着センサー１５により読み取られて、その画像の電気信号がコントローラ４０へ出力される。
コントローラ４０のＣＰＵ４１は、入力された電気信号から帳票の表面の画像を生成し、その画像についての後処理を行う。後処理としては、文字認識処理などである。
このようにして密着センサー１５およびコントローラ４０にて、表面の読み取り処理が行われた帳票は、ドライブローラ８とピンチローラ９によって挟持されながら搬送路５上を搬送される。
【００３７】
搬送路５上に帳票を搬送し、帳票が搬送センサー２１にたどり着く間に、ＣＰＵ４１は、帳票から読み取った画像の長さを検出する。
そして、帳票が搬送センサー２１に検出されたとき、検出された帳票の長さが、第１位置から第２位置までの距離Ｌよりも長いか否かを判定する（ステップＳ１０３）。
この判定の結果、図５に示すように、検出された帳票の長さＡが、第１位置から第２位置までの距離Ｌよりも短い場合（ステップＳ１０３のＮｏ）、次にＣＰＵ４１は、帳票から読み取った画像の長さが第１位置から第２位置までの距離Ｌよりも長いか否かを判定する（ステップＳ１０４）。
この判定の結果、画像の長さが、第１位置から第２位置までの距離Ｌよりも短い場合（ステップＳ１０４のＮｏ）、ＣＰＵ４１は、文字認識処理が正常に終了していたら、印字処理を行う（ステップＳ１０５）。
【００３８】
つまり、帳票が搬送センサー２１により検知されるまでの間に、密着センサー１５または帳票繰出検出センサー１１により帳票の終端が検知されていた場合、読み取り中の帳票が通常処理可能なサイズ（例えばＡ４等）であり、かつ読み取り処理の結果、画像データから所定の文字またはデータを正常に読み取った場合、ＣＰＵ４１が印字ヘッド１７を制御して、搬送されてきた帳票が読み取り処理済みのものであることを示す整理番号を印字部で印字する。
【００３９】
そして、ＣＰＵ４１は、フラッパ１８、２４を制御して搬送方向をアクセプトスタッカ２０の側へ切り替えて、印字済みの帳票を振り分け（ステップＳ１０６）、アクセプトスタッカ２０へ集積する（ステップＳ１０７）。
【００４０】
一方、上記ステップＳ１０３，Ｓ１０４の判定の結果、図６に示すように、帳票の長さＢ、または画像の長さのいずれかが、第１位置から第２位置までの距離Ｌよりも長い場合（ステップＳ１０３のＹｅｓ、ステップＳ１０４のＹｅｓ）、ＣＰＵ４１は、その帳票を長尺の帳票と判定し、フラッパ１８、２４を制御して帳票の搬送方向を周回方向Ｃへ切り替え（ステップＳ１０８）、帳票をその方向（循環させる方向）へ搬送し（ステップＳ１０９）、合流部１２から元の下側の搬送路５へ搬送し（ステップＳ１１０）、長尺帳票を２周させる。２周目で帳票の情報を正常に読み取った場合、ＣＰＵ４１は、その長尺帳票に印字部で印字した後、アクセプトスタッカ２０に集積する。
【００４１】
すなわち、帳票が搬送センサー２１により検知された時点で、いまだに帳票繰出検出センサー１１によって同じ帳票が検知されていた場合、ＣＰＵ４１は、現在、読み取り中の帳票が通常処理可能なサイズ（例えばＡ４等）ではない長尺の帳票（例えばＡ３等）であるものと判定して、印字部での印字を行わずに、その帳票を、搬送路５を２周、つまり周回（循環）させるようにフラッパ１８，２４を制御する。
つまりＣＰＵ４１は、判定結果により、フラッパ１８、２４を駆動して搬送経路を切り替え、帳票は、フラッパ１８によってリジェクトされるものとされないものに分けられ、次のフラッパ２４によって循環させるものとアクセプトスタッカ２０へ排出するものに分けられる。
【００４２】
リジェクトされる帳票は、搬送センサー２２によって検知（監視）されてリジェクトスタッカ１９に集積される。また、リジェクトされない帳票のうち、正常に処理された帳票は、搬送センサー２３によって検知（監視）されて筐体外部へ排出され、アクセプトスタッカ２０に集積される。
【００４３】
さらに、リジェクトされない帳票のうち、長尺帳票は、循環方向Ｃへ搬送経路が切り替えられて搬送路５を２周するように搬送される。
そして、２周させた長尺帳票については、情報を正常に読み取った場合、ＣＰＵ４１は、印字部にて印字処理を行い、フラッパ１８，２４を図５のような角度に制御して、帳票をアクセプトスタッカ２０の方向へ搬送しアクセプトスタッカ２０に蓄積する。
【００４４】
この一連の帳票読取動作は、ホッパテーブル２に帳票類Ｐがなくなって帳票積載検知センサー７が「明」となるか、操作部４８から動作停止の指示コマンドがコントローラ４０に入力されるまで繰り返される。
【００４５】
このようにこの実施形態の光学的画像読取装置によれば、各センサーからの検知信号がコントローラ４０に入力されて、ＣＰＵ４１により、処理中の帳票が長尺帳票か否かが判定されて帳票を循環させるか否かが判定され、長尺帳票については循環搬送して搬送路５を２周させるので、最大で、帳票繰出検出センサー１１の位置から搬送路５を時計回り（図面上）で周回させて搬送センサー２５の位置までの長さの長尺帳票を扱えるようになる。
この結果、コンパクトな外形の筐体でありながら通常処理可能な帳票サイズ（例えばＡ５，Ａ４等）よりも長い長尺帳票（例えばＡ３、Ａ２等）を処理することができる。
【００４６】
以上、本発明を各実施の形態により具体的に説明したが、本発明はこれらの実施形態にのみ限定されるものではなく、その要旨を逸脱しない範囲で種々変更可能である。
【００４７】
上述した実施形態では、２つのフラッパ１８、２４のうち、フラッパ１８では、リジェクトする帳票とそれ以外の帳票に振り分け、次のフラッパ２４で２周させる帳票とアクセプトスタッカ２０に蓄積する帳票に振り分けたが、振り分けゲート（振分部）の構成はこれ以外にもさまざまな形態が考えられる。
例えば、図７に示すように、フラッパ１８の後段にフラッパ２６を配置し、フラッパ１８では、２周させる帳票とそれ以外の帳票とに振り分けて、次のフラッパ２６でリジェクトスタッカ１９に蓄積する帳票と、アクセプトスタッカ２０に蓄積する帳票とに振り分けてもよい。
【００４８】
なお、上記実施形態では、コントローラ４０に、搬送制御機能と文字認識機能を持たせたが、光学的画像読取装置に通信ケーブルなどで接続したコンピュータなどに文字認識機能を受け持たせてもよい。
【図面の簡単な説明】
【００４９】
【図１】本発明の一つの実施の形態の光学的画像読取装置の外観図である。
【図２】図１の光学的画像読取装置の構成を概略的に示す側面図である。
【図３】図１の光学的画像読取装置の制御系の構成を機能的に示すブロック図である。
【図４】光学的画像読取装置の動作を示すフローチャートである。
【図５】短尺の帳票を処理するときの一例を示す図である。
【図６】長尺の帳票を処理するときの一例を示す図である。
【図７】他の例の光学的画像読取装置の構成を概略的に示す側面図である。
【符号の説明】
【００５０】
Ｐ…帳票類、２…ホッパテーブル、３…ピックアップローラ、４…フィードローラ、５…搬送路、６…セパレートローラ、７…帳票積載検知センサー、８…ドライブローラ、９…ピンチローラ、１０…変位センサー、１１…帳票繰出検出センサー、１８，２４，２６…フラッパ、１９…リジェクトスタッカ、２０…アクセプトスタッカ、２１，２２，２３，２５…搬送センサー。
【図１】
2009094929.tif 000003
【図２】
2009094929.tif 000004
【図３】
2009094929.tif 000005
【図４】
2009094929.tif 000006
【図５】
2009094929.tif 000007
【図６】
2009094929.tif 000008
【図７】
2009094929.tif 000009